(57)【特許請求の範囲】
【請求項１】
上端に上滑車を備えたもので設置ベースを介して立設されるポールと、上回り部分がポールの上滑車に掛けられて下へ伸びるようにされた循環運動可能なロープと、ロープの前記上回り部分に対する下回り部分が巻き掛けられる下駆動滑車を内装するとともに上端にロープを出し入れ自在に通すための開口を備えたケース体であってポールの下部に沿うようにして設けられた収納ケースと、四辺を有して形成されその四辺のうちの上辺に隣合う両縦辺のうちのロープ側に対応する基辺側である縦辺がロープに平行になるようにして設けられる旗類とを備え、ロープを一方向に運動させることで旗類を収納ケース内に収納可能である一方ロープを他方向に運動させることで旗類を収納ケース内から繰出して掲揚可能とするように構成された旗類の掲揚・収納装置であって、旗類は、前記上辺と基辺側である一方の縦辺の双方に差込袋状部分を備えかつこれら両差込袋状部分の交差する上角部に対応する個所にＬ形をした切欠きが形成されるとともに上滑車と下駆動滑車との間に掛けられたロープのうちの一方のものの一部が前記縦辺の差込袋状部分に通されるようにされ、旗類には、前記差込袋状部分にそれぞれ差し込まれてＬ形をなす線条部分と両線条部分の折り曲げ基点として前記切欠き内に位置するように設けられて前記両線条部分を弾発的にＬ形に戻すようにするコイル状部分とを有するＬ形をなす線条材でなる垂れ下がり防止具が設けられるとともに、前記縦辺の差込袋状部分に通されたロープは、前記コイル状部分と差込袋状部分から出た垂れ下がり防止具の下端部とにつながれており、前記垂れ下がり防止具は、コイル状部分を折り曲げの基点にしてＬ形から折り畳むようにして旗類の両差込袋状部分に線条部分を差し込み得るようにするとともに旗類に差し込まれた状態ではＬ形をなして旗類を四辺形になるように矯正する一方Ｌ形から折り畳んだ状態にして前記収納ケース内に収納可能とされかつ収納ケースから出された状態では折り畳んだ状態からコイル状部分のもつ弾発力によりＬ形に戻され得るように構成されていることを特徴とする旗類の掲揚・収納装置。
【発明の詳細な説明】
【技術分野】
【０００１】本発明は、旗類の掲揚・収納装置に関する。
【背景技術】
【０００２】  日本では祝日などに各家々で国旗を掲げる慣習があるが、今ではその数も僅かになってきている。ところで、現在では、玄関横に固定されているポール受金具に、旗玉や国旗を備え付けたポールの根元を挿し込んで掲揚を行うようになっている。しかしながら、掲揚された国旗は、風のないときは力なく垂れ下がった状態になることが多く、これでは折角の日の丸の威厳を見ることができない。そこで日の丸が無風のときでもよく見えるようにした案も提供されている。
【先行技術文献】
【特許文献】
【０００３】
【特許文献１】  特開２００２−１６９４９５
【発明の概要】
【発明が解決しようとする課題】
【０００４】  上記特許文献１には、旗掲揚方法及び装置の技術が記載されており、具体的には、ポールの両側にエアー配管を配設し、エアー配管のエアー放出口が、それぞれ旗の両サイドに位置し、ロープに係止された旗の一片の下部から旗の略中心方向に向けて設け、所定の風速にて吹き付けるようにしてある。
ところが、こうしたエアー配管による風吹き付け方法によれば、専用の装置が必要でその運転費もかかるなどの不利があるとともにエアー配管が旗のすぐ傍に臨む格好となるので違和感もある。【０００５】本発明は、このような従来の方法が有していた問題を解決しようとするものであり、無風状態でも極めて安価な方法により運転費も必要なくしてしかも格好よく伸展した状態を得ることができる旗類の掲揚・収納装置を提供することを目的とする。
【課題を解決するための手段】
【０００６】本発明は上記目的を達成するため、請求項１に記載の発明は、上端に上滑車を備えたもので設置ベースを介して立設されるポールと、上回り部分がポールの上滑車に掛けられて下へ伸びるようにされた循環運動可能なロープと、ロープの前記上回り部分に対する下回り部分が巻き掛けられる下駆動滑車を内装するとともに上端にロープを出し入れ自在に通すための開口を備えたケース体であってポールの下部に沿うようにして設けられた収納ケースと、四辺を有して形成されその四辺のうちの上辺に隣合う両縦辺のうちのロープ側に対応する基辺側である縦辺がロープに平行になるようにして設けられる旗類とを備え、ロープを一方向に運動させることで旗類を収納ケース内に収納可能である一方ロープを他方向に運動させることで旗類を収納ケース内から繰出して掲揚可能とするように構成された旗類の掲揚・収納装置であって、旗類は、前記上辺と基辺側である一方の縦辺の双方に差込袋状部分を備えかつこれら両差込袋状部分の交差する上角部に対応する個所にＬ形をした切欠きが形成されるとともに上滑車と下駆動滑車との間に掛けられたロープのうちの一方のものの一部が前記縦辺の差込袋状部分に通されるようにされ、旗類には、前記差込袋状部分にそれぞれ差し込まれてＬ形をなす線条部分と両線条部分の折り曲げ基点として前記切欠き内に位置するように設けられて前記両線条部分を弾発的にＬ形に戻すようにするコイル状部分とを有するＬ形をなす線条材でなる垂れ下がり防止具が設けられるとともに、前記縦辺の差込袋状部分に通されたロープは、前記コイル状部分と差込袋状部分から出た垂れ下がり防止具の下端部とにつながれており、前記垂れ下がり防止具は、コイル状部分を折り曲げの基点にしてＬ形から折り畳むようにして旗類の両差込袋状部分に線条部分を差し込み得るようにするとともに旗類に差し込まれた状態ではＬ形をなして旗類を四辺形になるように矯正する一方Ｌ形から折り畳んだ状態にして前記収納ケース内に収納可能とされかつ収納ケースから出された状態では折り畳んだ状態からコイル状部分のもつ弾発力によりＬ形に戻され得るように構成されていることを特徴とする。
【発明の効果】
【０００７】上述したように本発明の旗類の掲揚・収納装置は、上端に上滑車を備えたもので設置ベースを介して立設されるポールと、上回り部分がポールの上滑車に掛けられて下へ伸びるようにされた循環運動可能なロープと、ロープの前記上回り部分に対する下回り部分が巻き掛けられる下駆動滑車を内装するとともに上端にロープを出し入れ自在に通すための開口を備えたケース体であってポールの下部に沿うようにして設けられた収納ケースと、四辺を有して形成されその四辺のうちの上辺に隣合う両縦辺のうちのロープ側に対応する基辺側である縦辺がロープに平行になるようにして設けられる旗類とを備え、ロープを一方向に運動させることで旗類を収納ケース内に収納可能である一方ロープを他方向に運動させることで旗類を収納ケース内から繰出して掲揚可能とするように構成された旗類の掲揚・収納装置であって、旗類は、前記上辺と基辺側である一方の縦辺の双方に差込袋状部分を備えかつこれら両差込袋状部分の交差する上角部に対応する個所にＬ形をした切欠きが形成されるとともに上滑車と下駆動滑車との間に掛けられたロープのうちの一方のものの一部が前記縦辺の差込袋状部分に通されるようにされ、旗類には、前記差込袋状部分にそれぞれ差し込まれてＬ形をなす線条部分と両線条部分の折り曲げ基点として前記切欠き内に位置するように設けられて前記両線条部分を弾発的にＬ形に戻すようにするコイル状部分とを有するＬ形をなす線条材でなる垂れ下がり防止具が設けられるとともに、前記縦辺の差込袋状部分に通されたロープは、前記コイル状部分と差込袋状部分から出た垂れ下がり防止具の下端部とにつながれており、前記垂れ下がり防止具は、コイル状部分を折り曲げの基点にしてＬ形から折り畳むようにして旗類の両差込袋状部分に線条部分を差し込み得るようにするとともに旗類に差し込まれた状態ではＬ形をなして旗類を四辺形になるように矯正する一方Ｌ形から折り畳んだ状態にして前記収納ケース内に収納可能とされかつ収納ケースから出された状態では折り畳んだ状態からコイル状部分のもつ弾発力によりＬ形に戻され得るように構成されていることを特徴とするので、無風状態でも極めて安価な方法により運転費も必要なくしてしかも格好よく伸展した状態を得ることができる旗類の掲揚・収納装置を提供することができる。
【図面の簡単な説明】
【０００８】
【図１】  本発明の一実施形態を示す左側面図。
【図２】  図１の正面図。
【図３】  図１のＡ−Ａ線拡大断面図。
【図４】  図１のＢ−Ｂ線拡大断面図。
【図５】  旗を収納する様子を示す斜視図。
【図６】  図１のＣ部拡大図。
【図７】  他の実施形態を示す左側面図。
【図８】  他の実施形態を示す斜視図。
【図９】  他の実施形態を示す横断面図。
【図１０】  他の実施形態を示す横断面図。
【図１１】  他の実施形態を示す横断面図。
【図１２】  旗取付具についての他の実施形態を示す左側面図。
【図１３】  図１２の旗取付具の拡大斜視図。
【図１４】  付加的な提案例を示す正面図。
【図１５】  付加的な提案例を示す正面図。
【図１６】  付加的な提案例を示す正面図。
【図１７】  付加的な提案例を示す正面図。
【図１８】  付加的な提案例を示す正面図。
【図１９】  付加的な提案例を示す正面図。
【図２０】  付加的な提案例を示す斜視図。
【図２１】  他の実施形態を示す正面図。
【図２２】  図２３のＸ−Ｘ線断面図。
【図２３】  図２２の縦断正面図。
【図２４】  刺股の使用要領を示す説明図。
【発明を実施するための形態】
【０００９】  以下、本発明の実施の一形態を図１〜図６に基づいて説明する。尚、各実施形態で説明する個別（細部を含む）の案は他の実施形態にも適用があるものとする。
【００１０】  これらの図において、１は設置ベースで、このベース１は、一般家庭の玄関先地盤や私的・公的機関の敷地地盤などであり、同ベース１にはポール２が埋込式に立設固定されている。３は旗玉で、ポール２に差し込まれており、その直ぐ下側の周部には上滑車４が設けられている。この上滑車４にはロープ５が無端式で掛けられている。
【００１１】  ロープ５の中途には、図６に示すように、旗６の四辺のうち上辺ａとそれに隣合うポール２側の縦辺ｂに形成される差込袋状部分６ａ、６ａ内に添って差し込まれるようにＬ形に折り曲げて形成したＳＵＳ線材・バネ線材などの弾性線条材でなる垂れ下がり防止具７が設けられている。この垂れ下がり防止具７は、Ｌ形に折り曲げられた中途折り曲げ部分にはコイル状部分７ａを備える。このコイル状部分７ａは、旗６のポール２側の上角部にＬ形に形成した切欠き６ｂ位置に対応するようになっている。
【００１２】  垂れ下がり防止具７の先端は線条材を切断した端末のままとされるが、下端に対応する端部には、ロープ５を通すためのリング７ｂが設けられ、上右端部には差込袋状部分６ａに通りやすくまた旗６の生地を傷めないようにするリング７ｃが設けられている。そして、この垂れ下がり防止具７は、図６の右下欄のように、Ｕ字状に折り曲げられて、その先端のリング７ｂ、７ｃを切欠き６ｂを介してそれぞれの差込袋状部分６ａに差し込んでゆくことで通される。このとき、コイル状部分７ａがしなやかに大きく曲がることで一連の差込みをしやすくする。この差込みが終わると、手を緩めることにより垂れ下がり防止具７は弾発的にＬ字状になるように戻ることで旗６が張った状態になる。このコイル状部分７ａには、ロープ５の中途が巻き掛けられる。
尚、図６の左欄に示すように、縦辺ｂの垂れ下がり防止具７の通された外部には、Ｕ字溝形をした補強桟８を嵌め付けて真直ぐになるようにしてもよい。
また、図６の左欄に示すように、ロープ５に巻き掛けずに紐９によりポール２に直接取り付けることもできる。この場合、垂れ下がり防止具７のコイル状部分７ａ近くの部分と下端近くの部分とに紐９，９を巻きつけて縛ることにより取り付けられる。
【００１３】  １０は旗収納装置で、ポール２の下寄りの外部に取付環１１を介して縦向きに取り付けられている。この旗収納装置１０は、収納ケース１２を本体とし、同ケース１２は、固定ケース１３と開閉ケース１４の２つのケースでなる。固定ケース１３は、ポール２側の背壁ａとその両側から垂直に立ち上がる側壁ｂの３つの壁からなるコの字形横断面に折り曲げ形成した部分と、その上端に一体に設けられた斜壁ｃとでなり、底壁は設ける場合と設けず開放状にする場合とがある。底壁を設ける場合はドレン口を開口する。斜壁ｃは、雨がケース内に浸入しないようにポール２の向きに下がるように傾斜する。この斜壁ｃの上端には、図５に示すように、ロープ５を円滑に案内するための丸ロッド状の下ガイド１５が一体溶接されている。尚、図３の１７はロープ５を通すためのロープ通孔で、斜壁ｃの傾斜下がり端に位置している。
【００１４】  開閉ケース１４は、同じく背壁ｄと側壁ｅおよび斜壁ｆとを有してコの字形に形成され、同じく底壁は設ける場合と設けず開放状とする場合とがある。この開閉ケース１４は、固定ケース１３よりも少し高く形成され、その上端は、斜壁ｆが前記斜壁ｃの上方に臨むように突き出していてその先端には、ロープ５を円滑に案内するための上ガイド１６が設けられている。この上ガイド１６は、図６のように、斜壁ｆの側辺から側壁ｅの前縁に伸びるように形成されている。
【００１５】  固定ケース１３内には、ロープ５を巻き回す下駆動滑車１８が回転自在に設けられていてロープ５は下駆動滑車１８から斜壁ｃのロープ通孔１７を通じて上滑車４を経由して旗６の垂れ下がり防止具７に結ばれるとともに上ガイド１５から下ガイド１６を通じて収納ケース１２内の下駆動滑車１８に循環運動するようになっている。
【００１６】  下駆動滑車１８は、ケース外のハンドル１９により往復回転される。このハンドル１９に代えて図２に仮想線で示す減速機付きモーター２０により駆動するようにしてもよい。このモーター２０は図示しないタイマー付き制御盤で朝方の一定時間に掲揚し夕方に収納するように自動化することもできる。この制御には、雨が降ると雨センサーの感知により自動収納する制御も含まれる。この場合の電源は、ＡＣ１００Ｖなどの家庭用電源あるいはソーラー電源（例えば、ＤＣ１２Ｖ）とすることができる。
【００１７】  開閉ケース１４は、一側のヒンジ２１により支持されて開閉自在とされるとともにロック具２２により閉止されるようになっている。図５は旗６を仕舞う際の様子を示しており、開閉ケース１４を開けて垂れ下がり防止具７を折り曲げるようにして旗６を収納する。掲揚のときは開閉ケース１４を開ければ垂れ下がり防止具７はその弾発で開くのでハンドル１９を回せば自動的に掲揚される。
【００１８】旗６は、垂れ下がり防止具７により図１・図２・図６のように無風状態でも伸展した状態になる。尚、垂れ下がり防止具７は、縦辺と横辺とが別体でその間をＬ形パイプなどのジョイントにより接続するようにしてもよい。この場合も折れ曲がり状という。また、垂れ下がり防止具７は、アルミ線材や樹脂線材など、材質は限定されない。さらに、垂れ下がり防止具７は、断面形状が、丸形であるものに限定されず、例えば、横幅が小さく縦幅が大きい扁平形のものもここに含まれ、この場合、図１のような伸展状態が得られる一方において薄い方向には靡くようにすることができる。また、図６の上欄に示すように、コイル状部分７ａは、紙面に直交する方向に軸芯をもってラセン状に曲げたものにしてもよい。
【００１９】  旗収納装置１０は、垂れ下がり防止具７を付してない通常の旗６の収納用にも使用可能である。旗収納装置１０は、ハンドル１９を回すことで旗６を下げることができ、そののち、ロック具２２を外して開閉ケース１４を開けることで、折り畳み状態で旗６を収納することができる。そのあと、開閉ケース１４を閉めてロック具２２を係合ロックすることで安全な収納状態を得る。この収納状態では、斜壁ｆ，ｃが上下に食い違いラップ式に配置されているので雨が入りにくく例え入っても底から抜けるようにするとともに図１のようにロープ５を平行化して見た目にまとまり感を出すことができる。ガイド１５，１６は揚げ降ろしの際のロープ５の動きを円滑にし損傷しにくくする。このガイド１５，１６はローラータイプにすることがある。
【００２０】  尚、図１および図２のように、収納ケース１２の固定ケース１３下部には、固定脚２３が取り付けられ、設置ベース１内に埋設式（あるいはアンカー固定式）にして例えば、ポール２が経時的に古く弱くなったり台風や地震が来た場合でも独自に支持することができるようにしてある。そのことから、図７の他の実施形態のように、収納ケース１２（固定ケース１３）に取り付けた固定脚２３を埋設式とする一方、ポール２の方は図１のように埋設式とせず固定ケース１３にのみ取付支持させるだけにしてもよい。
【００２１】  また、図８に示すように、収納ケース２６を角筒あるいは丸筒などにより上下開放型のものとしてもよい。この場合、上開放口２７には下雨除け２８を設けるとともにポール２に大きい上雨除け２９を設けることができる。上雨除け２９はヒンジ３０により上に持ち上げて開閉できるようにすれば旗の収納・掲揚に便利である。収納ケース２６は、図１ないし図６のような固定ケースと開閉ケースとの組み合わせタイプにしてもよい。また、ロープ５は、仮想線のようにポール２に沿うように通してもよい。さらに、図８の右欄に示すように、収納ケース２６は、扁平型にしてもよい。この場合、下駆動滑車１８はケース内の一方寄りに位置させれば他方側に旗の収納空間を広く取ることができる。
【００２２】  図９は他の実施形態を示す。この実施形態の収納ケース３３は、一体円筒状で上下開放型のもので、ポール２に添わせて取り付けたものである。収納ケース３３の上側には蓋を設けることがある。この場合、ポール２側に半円型の蓋とすることができる。
図１０の実施形態は、同じく一体円筒状の収納ケース３５についてのものであるが、その中央位置にポール２が通された方式となっている。この収納ケース３５の蓋３６は、半割れ合わせ式でポール通口３７とロープ通口３８を備えたものになっている。２つの蓋３６は互いにロック可能にする。ポール２は、収納ケース３５の偏芯した位置に通してもよい。この場合、旗を広い空間内に出し入れすることができる。
図１１の実施形態は、収納ケース４０が四角筒形でその偏芯した位置にポール２が通されている。蓋４１は半割れ合わせ式のもので、右欄のように多角形（六角形など）の収納ケース４２にしてもよい。
【００２３】  図１２および１３は、旗取付具についての他の実施形態を示す。
この旗取付具は、垂れ下がり防止具７で姿勢が四辺に規律された旗６を対象にして玄関先などの既存材Ｔにネジ留めやくぎ止めなどにより取り付けられるもで、金属や樹脂などにより造られ、幅４５ｍｍ、高さ１００ｍｍ程度の薄板製の基板Ｐの前面に、前記コイル状部分７ａ内に差し込まれる軸部ｃを備えるとともに、この軸部ｃより低い個所には図１３のように先端が切り離されて保護片を備えた止め環ｄが突設されている。
【００２４】  基板Ｐは、図１２の右欄のように、少し上下に長めにしてその上下複数個所に止め環ｄを備えて旗６の上下複数箇所を掴むようにしてもよい。止め環ｄは、同じく右欄に示すように、旗６の下端近くを掴むように設けてもよい。この場合、軸部ｃと１つの止め環ｄで構成する場合と、軸部ｃと複数の止め環ｄで構成する場合とがある。基板Ｐは１枚ものが好ましいが、上板と下板とで別体ものとし、上板に軸部ｃを、下板に止め環ｄを設ける場合がある。
【００２５】  図１４ないし２０は付加的な提案例を示す。図１４の例は、垂れ下がり防止具７を使う旗６をロープ５で掲揚可能としたポール２を、差込孔４６付き旗挿しウエイト台４７に差し込むようにしたものである。
図１５の例は、旗挿しウエイト台４９を、下部ａと上部ｂとで構成して、下部ａは、内部を収納空間にして扉５０を開閉自在に装備しその中に手袋５１や電池５２、ラジオ５３などの防災品を出し入れできるようにして緊急時に備えるようにしたものであり、上部ｂは富士山を模したり日本列島を模したものを付すようにデザイン化したものである。
【００２６】  図１６の例は、旗挿しウエイト台５５の上部ｂを地球儀としてポール２を差込自在としたものである。
図１７の例は、旗挿しウエイト台５７の上部ｂを模造石状としてその表面に「感謝」や「和」などの語を刻み付けたものである。
【００２７】  図１８の例は、半球状で半割れ合体式の上部ｂをもつ旗挿しウエイト台５９とし、その中に、ポール２の下端に備えた刺股６０を差込装備可能にしたもので、緊急時には、上部ｂを開いてポール２を上に抜くことにより、右欄のように刺股６０として使えるようにしたものである。この刺股６０は、図１９のような旗挿しウエイト台６２上に差込設置しておいて平常時には前側の日本列島などの装飾体６３の裏側に隠れるようにしてある。
図２０の例は、旗挿しウエイト台６５上に富士山などの前装飾体６６を設ける一方、裏側にはポリカなどの防弾樹脂プレート６７を立設していつでもその裏に隠れて防護されるようにしたものである。
【００２８】  図２１ないし２４は旗掲示セットについての他の実施形態を示す。同実施形態は、基部に旗挿しウエイト台７０を備え、同台７０は、図２３の断面図のように、薄板を底有り円筒体とした本体７１と同本体７１に蓋設された円筒体状のカバー７２とでなる。このウエイト台７０内には、手袋５１・電池５２・ラジオ５３・ロープ５４や非常食７３などで例示されるように種々の緊急用品が収納されいつでも使用できるようになっている。これらの緊急用品は重量をもつので旗付きポールを支えるためのウエイトとしても機能する。
【００２９】  カバー７２上には、富士山に模した装飾板７４が前後一対設けられ、これらは前後基部間に一体に渡された連結板７５を止着具７６によりカバー７２に取り付けることにより脱着可能に固定されている。７７は左右一対の差込パイプで、カバー７２上に固定されており、これらにポール２の下部に取り付けた刺股７８の下部両端がいつでもワンタッチで抜脱可能な状態で差し込まれている。刺股７８の基部はポール２内に差し込まれて止着具７９で固定されている。
【００３０】  ポール２の中途高さには、図２４のように刺股として使用する際の一方の手を留めるためのストッパー８０が止着具８１により位置調節可能に止め付けられている。
尚、刺股７８の両端には、Ｕ字環８２が設けられ、これらの間には、ワンタッチで係脱可能な留め具８３が掛けられ、これらの間には犯人捕捉チェーン８４が掛け渡されている。
【００３１】  この旗掲示セットは、旗６を掲示することができるだけでなく、例えば、学校や各種金融機関、事務所、コンビニエンス、スーパーマーケットなどに犯人が侵入してきた際にポール２を持ち上げて刺股７８を差込パイプ７７から抜くとともに図２４のように一方の留め具８３を外して垂れた状態にして犯人８５を刺股７８で捕らえる際に利用される。犯人８５を捕らえたあとは、犯人捕捉チェーン８４を犯人８５に回し止めることにより捕捉を確実なものにすることができる。また、地震などの非常事態に遭った場合には、カバー７２を開けることでその内容物である緊急用品を使用することができるし、これらの緊急用品はウエイトとして機能するので旗６付きポール２の安定性を向上させるのに役立つ。
【００３２】  尚、刺股７８は、前記のように３つ股などにすることがある。
【符号の説明】
【００３３】    １…設置ベース  ２…ポール  ５…ロープ  ６…旗  ７…垂れ下がり防止具  １０…旗収納装置  １２…収納ケース。
【図１】
0005540246.tif 000002
【図２】
0005540246.tif 000003
【図３】
0005540246.tif 000004
【図４】
0005540246.tif 000005
【図５】
0005540246.tif 000006
【図６】
0005540246.tif 000007
【図７】
0005540246.tif 000008
【図８】
0005540246.tif 000009
【図９】
0005540246.tif 000010
【図１０】
0005540246.tif 000011
【図１１】
0005540246.tif 000012
【図１２】
0005540246.tif 000013
【図１３】
0005540246.tif 000014
【図１４】
0005540246.tif 000015
【図１５】
0005540246.tif 000016
【図１６】
0005540246.tif 000017
【図１７】
0005540246.tif 000018
【図１８】
0005540246.tif 000019
【図１９】
0005540246.tif 000020
【図２０】
0005540246.tif 000021
【図２１】
0005540246.tif 000022
【図２２】
0005540246.tif 000023
【図２３】
0005540246.tif 000024
【図２４】
0005540246.tif 000025